(57)【要約】【課題】  非露出型タッチパッドを有するノートブックコンピュータ。【解決手段】  ノートブックコンピュータは、筐体と、ディスプレイと、タッチパッドとを含む。筐体は上蓋部材を有し、上蓋部材は取付部を含む。ディスプレイは、筐体に回動可能に接続される。取付部は、上蓋部材の内表面の上に形成される。タッチパッドは、取付部の中に設けられるので露出されない。【選択図】    図２ｂ
2004220558.tif 000002
【特許請求の範囲】
【請求項１】
非露出型タッチパッドを有するノートブックコンピュータであって、
内表面に取付部が形成された上蓋部材を備える筐体と、
該筐体に回動可能に取り付けられたディスプレイと、
前記取付部に取り付けられたタッチパッドと
を備えるノートブックコンピュータ。
【請求項２】
請求項１に記載のノートブックコンピュータであって、
前記上蓋部材は更に外表面を含む、ノートブックコンピュータ。
【請求項３】
請求項２に記載のノートブックコンピュータであって、
更に、前記上蓋部材は前記外表面の上に、前記取付部に相当する表面を取り囲む囲み枠が形成されているノートブックコンピュータ。
【請求項４】
請求項１に記載のノートブックコンピュータであって、
前記取付部は凹部を有する、ノートブックコンピュータ。
【請求項５】
請求項１に記載のノートブックコンピュータであって、更に、
前記タッチパッドを前記取付部に接着する接着部材を備えるノートブックコンピュータ。
【請求項６】
請求項５に記載のノートブックコンピュータであって、
前記タッチパッドは、前記接着部材を介して前記取付部に密着することによって、前記取付部と前記タッチパッドとの間の隙間を排除する、ノートブックコンピュータ。
【請求項７】
請求項１に記載のノートブックコンピュータであって、
前記取付部の厚さは約０．５〜０．８ｍｍである、ノートブックコンピュータ。
【請求項８】
請求項１に記載のノートブックコンピュータであって、
前記上蓋部材の厚さは、前記取付部と、前記取付部に隣接する部分との差が約０．７〜１．０ｍｍである、ノートブックコンピュータ。
【請求項９】
請求項１に記載のノートブックコンピュータであって、
前記上蓋部材の厚さは、前記取付部に隣接する部分に対して、前記取付部が約１／３〜１／２の比率を有する、ノートブックコンピュータ。
【請求項１０】
非露出型タッチパッドを有するノートブックコンピュータを製造するための方法であって、
内表面に取付部が形成された上蓋部材を形成し、
前記取付部にタッチパッドを接着する、方法。
【請求項１１】
請求項１０に記載の方法であって、更に、
接着部材を提供し、前記接着部材を介して前記取付部の上に前記タッチパッドを接着することによって、両者間の隙間を排除する、方法。 
【請求項１２】
請求項１０に記載の方法であって、
前記取付部の厚さは約０．５〜０．８ｍｍである、方法。
【請求項１３】
請求項１０に記載の方法であって、
前記上蓋部材の厚さは、前記取付部と、前記取付部に隣接する部分との差が約０．７〜１．０ｍｍである、方法。
【請求項１４】
請求項１０に記載の方法であって、
前記上蓋部材の厚さは、前記取付部に隣接する部分に対して、前記取付部が約１／３〜１／２の比率を有する、方法。
【請求項１５】
請求項１０に記載の方法であって、
前記上蓋部材は射出成形によって形成される、方法。
【請求項１６】
請求項１０に記載の方法であって、
前記取付部は更に凹部を有する、方法。
【発明の詳細な説明】
【技術分野】
【０００１】
本発明は、ノートブックコンピュータ及びその製造方法に関し、特に、非露出型タッチパッドを有するノートブックコンピュータに関する。
【背景技術】
【０００２】
タッチパッドは、大部分のノートブックコンピュータにとって不可欠なデバイスである。タッチパッドによって、ユーザは、カーソルを移動させたりコンピュータを操作したりすることができる。
【０００３】
図１ａは、従来のノートブックコンピュータの概略図である。図１ｂは、図１ａを線分ｂ−ｂに沿って切り取った場合の断面図である。図１ａおよび図１ｂに示すように、従来のノートブックコンピュータ１０にはタッチパッド１４が設けられている。筐体１１の上蓋部材１２上には、筐体１１の中に設けられたタッチパッド１４をユーザが操作可能となるように露出させるための開口１３が形成されている。つまり、上蓋部材１２には開口１３を設ける必要がある。
【０００４】
更に製造時には、係合部材１５によって筐体１１にタッチパッド１４が取り付けられる。
【発明の開示】
【発明が解決しようとする課題】
【０００５】
しかしながら、上蓋部材の上面部分に開口が設けられることから、この開口から筐体に水が侵入するのを阻止することができない。つまり、外部の蒸気が開口を通って筐体に侵入する恐れがある。更に、露出されたタッチパッドが外部と直接接することから、タッチパッドの上には埃が直接堆積する恐れがある。したがって、タッチパッドのパフォーマンスは低下する。また、タッチパッドは係合部材によって筐体の中に設けられるので、筐体の内部における使用可能スペースは減少する。
【課題を解決するための手段】
【０００６】
以上に鑑みて、本発明は、上蓋部材を破る専用の開口部がなくてもコンピュータのタッチパッドを取り付けられるノートブックコンピュータ及びその製造方法を提供する。 
【０００７】
したがって、本発明は、表面一体型のタッチパッドを有するノートブックを提供する。ノートブックコンピュータは、筐体と、ディスプレイと、タッチパッドとを含む。筐体は、取付部を形成された上蓋部材を含む。ディスプレイは、筐体に回動可能に取り付けられる。取付部は上蓋部材の内表面に形成されるので、上蓋部材から露出することはない。タッチパッドは、取付部の中に設けられる。表面一体型とは、上蓋部材の内表面にタッチパッドが取り付けられていることを意味し、タッチパッドが上蓋部材から露出しないため、「非露出型」と呼ぶこともできる。
【０００８】
好ましい一実施形態において、上蓋部材は、ディスプレイに面する外表面と、外表面の反対側に位置する内表面と、内表面の上に形成された取付部とを含む。
【０００９】
更に、外表面上には取付部に対応する位置に囲み枠が形成される。囲み枠は、取付部に対応する外表面上の領域の少なくとも一部を取り囲む。囲み枠は、外表面に塗料で描いてもよいし、別の部材を貼り付けて形成してもよい。囲み枠の内部を、その他の部位と異なる色またはパターンで塗りつぶしてもよい。
【００１０】
取付部は、上蓋部材の内表面上に形成された凹部を有する。
【００１１】
好ましい別の一実施形態において、ノートブックコンピュータは、タッチパッドを取付部に接着させる接着部材を更に含む。
【００１２】
更にタッチパッドは、接着部材を介して受け部材に密着させることによって、両者間の隙間を排除する。
【００１３】
好ましい別の一実施形態において、取付部における上蓋部材の厚さは約０．５〜０．８ｍｍである。
【００１４】
好ましい別の一実施形態において、上蓋部材の厚さは、取付部と、取付部に隣接する部分との差が約０．７〜１．０ｍｍである。
【００１５】
好ましい別の一実施形態において、上蓋部材の厚さは、取付部に隣接する部分に対する取付部の比率が約１／３〜１／２である。
【００１６】
本発明では、表面一体型のタッチパッドを有するノートブックコンピュータの製造方法が提供される。この方法は、以下のステップを含む。すなわち、内表面に取付部が形成された上蓋部材を形成し、タッチパッドを準備する。そして、タッチパッドを取付部に接着する。
【００１７】
好ましい別の一実施形態において、この方法は更に以下のステップを含む。すなわち、接着部材を準備し、タッチパッドを接着部材を介して取付部の上に接着し、タッチパッドと上蓋部材との間の隙間を排除する。
【００１８】
好ましい別の一実施形態において、上蓋部材は射出成形によって形成される。
【００１９】
好ましい別の一実施形態において、取付部は凹部を形成された上蓋部材の上に形成される。
【発明を実施するための最良の形態】
【００２０】
本発明は、添付の図面を参照にして行われる以下の詳細な説明及び実施例をもとにして十分に理解することが可能である。
【００２１】
図２ａは実施例としてのノートブックコンピュータにおける上蓋部材の部分斜視図である。図２ａは、上蓋部材を天地逆にして内表面を見た状態を示している。図２ｂは実施例としてのノートブックコンピュータの概略図である。図２ｃは上蓋部材の部分平面図である。図２ｄは図２ｃのｄ−ｄ断面図である。図２ａ、図２ｂ、図２ｃ、及び図２ｄを参照して、実施例としての表面一体型のタッチパッドを有するノートブックコンピュータ１００について説明する。ノートブックコンピュータ１００は、筐体１１０と、ディスプレイ１２０と、タッチパッド１３０とを含む。
【００２２】
筐体１１０はノートブックコンピュータ１００の主要なコンポーネントであり、ノートブックコンピュータ１００によって必須のデバイスを内部に収容している。また、筐体１１０は、図２ｂに示すような上蓋部材１１１を含む。図２ｂ及び図２ｄを参照すると、上蓋部材１１１は、第１の表面１１１ｃ（外表面）と、第１の表面１１１ｃの底面に位置する第２の第２の表面１１１ｄ（露出されない内表面）とを含む。上蓋部材１１１の内表面１１１ｄには取付部１１１ａが形成されている。タッチパッド１３０は、取付部１１１ａに設けられる。なお、取付部１１１ａは、図２ａ及び図２ｄに示した上蓋部材１１１の内表面１１１ｄに形成された凹部である。しかしながら、取付部１１１ａはこの形態に限られず、上蓋部材１１１に露出せずにタッチパッド１３０を設けられさえすれば、任意の形態であって良い。
【００２３】
なお、上蓋部材１１１の厚さは、取付部１１１ａでは、取付部１１１ａに隣接する部分（以下、周辺部と呼ぶ）よりも薄い。したがって、タッチパッド１３０の感度が高まり、そのパフォーマンスが向上する。例えば、上蓋部材１１１の標準的な厚さは１．５ｍｍであり、取付部１１１ａにおける上蓋部材１１１の厚さは０．５〜０．８ｍｍである。すなわち、上蓋部材１１１の厚さは、取付部１１１ａと、周辺部の差は、０．７〜１．０ｍｍであって良い。上蓋部材１１１の厚さは、周辺部に対し、取付部１１１ａが約１／３〜１／２の比率を有する。
【００２４】
また、図２ｃに示したように、上蓋部材１１１の外表面１１１ｃの上には、取付部１１１ａの外周に対応する位置に囲み枠１１１ｂを形成しても良い。こうすれば、ユーザは、囲み枠１１１ｂを触る又は見ることによってタッチパッド１３０の位置を適切に識別することができる。
【００２５】
ディスプレイ１２０は、筐体１１０の上に回動可能に設けられ、ノートブックコンピュータ１００の情報を表示する。前述のように、取付部１１１ａは、上蓋部材１１１の内表面１１１ｄの上に形成されるので、ディスプレイ１２０と接することはない。タッチパッド１３０は、上蓋部材１１１の内表面１１１ｄの上の取付部１１１ａに設けられ、カーソルの移動及びコンピュータとのその他のやり取りを行う。図２ａおよび図２ｂに示すように、タッチパッド１３０は、筐体１１０から露出しない形で筐体１１０の中に設けられる。したがって、タッチパッド１３０は、保護膜（不図示）を取り除いた状態で、取付部１１１ａに設けることが可能である。したがって、タッチパッド１３０の全体の厚さを減少させ、タッチパッド１３０の感度を高めることが可能である。
【００２６】
図２ｅは、タッチパッド１３０及び取付部１１１ａの部分拡大図である。更に図２ｅを参照すると、ノートブックコンピュータ１００は更に接着部材１４０を含むことがわかる。接着部材１４０は、タッチパッド１３０と取付部１１１ａとの間に位置し、タッチパッド１３０を取付部１１１ａに接着する。したがって、タッチパッド１３０は、接着部材１４０を介して受け部材１１１ａに密着し、両者間のあらゆる隙間を排除する。
【００２７】
接着部材１４０は、もちろん二重紙の両面接着剤であって良い。
【００２８】
以上ではノートブックコンピュータ１００の構造を説明したが、以下ではその製造方法を説明する。
【００２９】
図３は実施例としてのノートブックコンピュータの製造方法を示す工程図である。図３に示すように、ノートブックコンピュータ１００を製造する方法は、以下のステップを含む。先ずステップＳ１１では、図２ｄに示すように、取付部１１１ａを有する上蓋部材１１１を形成する。続くステップＳ１２では、タッチパッド１３０及び接着部材１４０を準備する。最後のステップＳ１３では、接着部材１４０を介して受け部材１１１ａの上にタッチパッド１３０を接着し、両者間のあらゆる隙間が排除する。
【００３０】
上蓋部材１１１は、もちろん射出成形によって形成されて良い。
【００３１】
前述したように、タッチパッドは、上蓋部材に開口を形成することなく設けられるので、上蓋部材に水が侵入するのを防ぐことができる。更に、外部の埃がタッチパッドに堆積することもない。したがって、タッチパッドのパフォーマンスは最適化される。また、取付部が上蓋部材の上に設けられた凹部であることから、上蓋部材とタッチパッドとを合わせた厚さは従来のノートブックコンピュータのそれよりも薄い。したがって、ノートブックコンピュータの筐体の内側の有効スペースを広げ、筐体の内側におけるデバイス配置の柔軟性を高めることが可能である。
【００３２】
以上では好ましい実施形態を一例に挙げて本発明の説明を行ったが、本発明がこの開示された実施形態に限定されないことは明らかである。反対に、本発明は様々な変更の形態及び類似の形態をカバーする（当業者ならば明らかである）。したがって、添付した特許請求の範囲は、あらゆる変更の形態および類似の構成を網羅できるように最も広く解釈されることが望ましい。
【図面の簡単な説明】
【００３３】
【図１ａ】従来のノートブックコンピュータの概略図である。
【図１ｂ】図１ａを線分ｂ−ｂに沿って切り取った場合の断面図である。
【図２ａ】本発明で開示されるノートブックコンピュータの部分分解図である。
【図２ｂ】本発明で開示されるノートブックコンピュータの概略図である。
【図２ｃ】図２ｂの上蓋部材の部分平面図である。
【図２ｄ】図２ｃを線分ｄ−ｄに沿って切り取った場合の断面図である。
【図２ｅ】図２ｄのタッチパッド及び取付部の部分拡大図である。
【図３】本発明で開示されるノートブックコンピュータの製造方法を示したフローチャートである。
【符号の説明】
【００３４】
１０...ノートブックコンピュータ
１１...筐体
１２...上蓋部材上蓋部材
１３...開口
１４...タッチパッド
１５...係合部材
１００...ノートブックコンピュータ
１１０...筐体
１１１...上蓋部材上蓋部材
１１１ａ...取付部
１１１ｂ...囲み枠
１１１ｃ...第１の表面（外表面）
１１１ｄ...第２の表面（内表面）
１２０...ディスプレイ
１３０...タッチパッド
１４０...接着部材
【図１ａ】
2004220558.tif 000003
【図１ｂ】
2004220558.tif 000004
【図２ａ】
2004220558.tif 000005
【図２ｂ】
2004220558.tif 000006
【図２ｃ】
2004220558.tif 000007
【図２ｄ】
2004220558.tif 000008
【図２ｅ】
2004220558.tif 000009
【図３】
2004220558.tif 000010